(57)【特許請求の範囲】
【請求項１】
切断材を載置するためのテーブルと、該テーブルに対して上下に傾動するマルノコ本体を備え、該マルノコ本体は、バッテリを電源として駆動する電動モータと該電動モータにより回転する鋸刃と該電動モータの側部から前後に延びる操作ハンドルを備えた卓上マルノコ盤において、
前記操作ハンドルの前部であって、前記電動モータに対して前側に該電動モータ起動用のスイッチを備え、前記操作ハンドルの後部であって、前記電動モータに対して後ろ側かつ前記マルノコ本体の傾動支点よりも前側に前記バッテリを備えた卓上マルノコ盤。
【請求項２】
請求項１に記載した卓上マルノコ盤であって、バッテリを装着するためのバッテリケース部に異物を排出するための排出孔を設けた卓上マルノコ盤。
【発明の詳細な説明】
【０００１】
【発明の属する技術分野】
この発明は、バッテリを動力源として駆動する卓上マルノコ盤に関する。
【０００２】
【従来の技術】
一般に、電動マルノコ盤には、定置式のものを除くと、マルノコ盤を切断材料に載せ掛けて当該マルノコ盤を移動させつつこの切断材料を切断するタイプのマルノコ盤（携帯用丸鋸盤）と、切断材料を固定するためのテーブルと、該テーブルに対して上下動可能なマルノコ本体を備え、テーブル上に切断材料を固定してマルノコ本体を下動させることによりこの切断材料を切断する構成としたマルノコ盤（卓上マルノコ盤）とに大別することができる。
従来、前者の携帯用マルノコ盤にはバッテリを動力源とするタイプが提供されているが、後者の卓上マルノコ盤は通常交流電源を動力源とするもので、バッテリ式のものは提供されていなかった。
【０００３】
【発明が解決しようとする課題】
このため、従来卓上のマルノコ盤を使用するためには電源コードを電源コンセントに接続する必要があるため、電源コンセントの周辺でなければ使用できず、従って作業位置を自由に選定することができないという問題があった。
そこで、本発明は、電源コンセントの位置に関係なくどこでも使用することのできる卓上マルノコ盤を提供することを目的とする。
【０００４】
【課題を解決するための手段】
このため、本願発明は、前記各請求項に記載した構成の卓上マルノコ盤とした。
請求項１記載の卓上マルノコ盤によれば、鋸刃を回転させる電動モータがバッテリを電源として回転するので、従来の卓上マルノコ盤のように電源コードが電源コンセントから離れた場所あるいは電源コンセントのない場所でも使用することができ、これにより当該卓上マルノコ盤の使い勝手を大幅に向上させることができる。
【０００５】
請求項２記載の卓上マルノコ盤によれば、特にバッテリを取り外した状態において、バッテリケース部に切り粉等の異物が侵入しやすく、これが当該バッテリケースの底部に堆積するとバッテリの導通不良等の原因になる。このような場合に、侵入した異物を排出孔から外部に排出することによりバッテリケースの底部に異物が堆積することを未然に防ぐことができる。なお、バッテリケースの開口部（バッテリ投入口を経て異物を排出することもできる。
【０００６】
【発明の実施の形態】
次に、本発明の実施形態およびこれに関連する関連技術を図１〜図１１に基づいて説明する。各実施形態および関連技術において卓上マルノコ盤の基本的な構成は同様であり、また従来の構成に比して特に変更を要しない。そこで先ず、本発明の実施形態を示す図１に基づいて当該卓上マルノコ盤１の基本的な構成を簡単に説明する。
図１中、２はベースを示している。このベース２の上面にテーブル３が回転可能に支持されている。ベース２の両側部には補助テーブル２ａ，２ａが設けられており、この両補助テーブル２ａ，２ａの上面はテーブル３の上面に面一に揃えられている。両補助テーブル２ａ，２ａ間には、切断材を位置決めするためのフェンス４がテーブル３を跨って取り付けられている。
テーブル３の後部（図１において右端部）には円板形状の左右傾動ベース５が一体に設けられている。この左右傾動ベース５には左右傾動アーム６が左右（図１において紙面に直交する方向）に傾動可能に支持されている。この左右傾動アーム６の上端部に、上下傾動支軸７を介してマルノコ本体１０が上下に傾動可能に支持されている。この上下傾動支軸７が特許請求の範囲に記載した傾動支点に相当する。
マルノコ本体１０のブレードケース１１の側部には、鋸刃１３を回転させるための電動モータ１２が取り付けられている。この電動モータ１２の出力軸に鋸刃１３が取り付けられている。鋸刃１３のほぼ上側半分はブレードケース１１内に収容され、下側半分がブレードケース１１に開閉可能に取り付けたブレードカバー１４に収容されている。このブレードカバー１４は、鋸刃１３の回転軸線周りに回転して開閉可能に設けられ、かつ上記左右傾動アーム６とブレードケース１１との間に掛け渡して取り付けたリンク機構１５によりマルノコ本体１０の上下傾動動作に連動して開閉する。すなわち、マルノコ本体１０を下方へ押し下げると、これに連動してブレードカバー１４が開き方向に回転し、これにより鋸刃１３のほぼ下側半分が露出されて、テーブル３上に固定した切断材を切断可能な状態となる。
一方、マルノコ本体１０を上方へ傾動させると、これに連動してブレードカバー１４が閉じ方向に回転し、これにより露出されていたブレード１３の下側半分が該ブレードケース１４内に収容される。
また、図示は省略されているが、ブレードケース１１と左右傾動アーム６との間には圧縮ばねが介装されており、これによりマルノコ本体１０が上方へ付勢されている。切断作業時には使用者がこの圧縮ばねの付勢力に抗してマルノコ本体１０を下方へ押し下げることとなる。
【０００７】
次に、電動モータ１２の側部には操作ハンドル１６が側方へ張り出し状に設けられている。この操作ハンドル１６には上記電動モータ１２のオンオフ操作をするためのスイッチ１７と、該スイッチ１７のオン状態をロックするためのロックボタン１８が設けられている。この操作ハンドル１６の後部（図示右端部）に、バッテリケース部２１が一体に設けられている。このバッテリケース部２１の内部にバッテリ２０が取り付けられ、このバッテリ２０を電源として上記電動モータ１２が起動する。
このバッテリ２０自体は、従来より電動工具に一般的に用いられる充電式のバッテリであり、本実施形態において特に変更を要しないが、図中２０ａは当該バッテリ２０の両側部に設けた押しボタンであり、この押しボタン２０ａ，２０ａの先端にはそれぞれ係合爪２０ｂが形成されている。両押しボタン２０ａ，２０ａを押し込んで両係合爪２０ｂ，２０ｂを引き込ませた状態で、当該バッテリ２０をバッテリケース部２１の挿入し、然る後両押しボタン２０ａ，２０ａを離すと、両係合爪２０ｂ，２０ｂがバッテリケース部２１の開口部内面に設けた受け部（図示省略）に係合し、これにより当該バッテリ２０が固定される。逆に、両押しボタン２０ａ，２０ａを押し込むと当該バッテリ２０をバッテリケース部２１から取り外すことができる。
バッテリケース部２１の底部には、バッテリ２０に接続する直流電源端子２１ｂ，２１ｂ（一方が＋端子、他方が−端子、図では片側のみ示されている）が突き出し状に配置されている。両電源端子２１ｂ、２１ｂは、モータ駆動回路に結線されている。このため、上記スイッチ１７をオン操作すると、電動モータ１２がバッテリ２０を電源として回転し、これにより鋸刃１３が回転する。
バッテリケース部２１の底部近傍には、内部に侵入した異物を排出するための排出孔２１ａが形成されている。なお、バッテリケース部２１の開口部からも異物を排出することができる。
また、バッテリケース部２１の開口部にはヒンジ２２ａを介して蓋２２が開閉可能に取り付けられており、この蓋２２を閉じておくことにより当該バッテリケース部２１の内部を閉塞することができ、これにより異物の侵入が防止されるようになっている。
【０００８】
以上のように構成した本発明の実施形態に係る卓上マルノコ盤１によれば、鋸刃１３を回転させるための電動モータ１２はバッテリ２０を電源として回転する。従って、従来の卓上マルノコ盤のように電源コードを電源コンセントに接続することなく、当該卓上マルノコ盤１を使用することができる。このことから、本実施形態の卓上マルノコ盤１は電源コンセントの近くでなくとも使用することができ、また野外等の電源コンセントが用意されていない場所でも使用することができ、これにより卓上マルノコ盤１の使い勝手を向上させることができる。
また、この実施形態におけるバッテリ２０は操作ハンドル１６に取り付ける構成となっており、電動モータ１２、スイッチ１７及びモータ駆動回路に比較的近い位置に取り付ける構成となっているので、両電源端子２１ｂ、２１ｂに至るまでの配線が短くて足りるので、その取り回しを簡略化することができる。
さらに、バッテリケース２１の蓋２２を閉じておくことによりその内部に切り粉等の異物が侵入することを防止できるので、バッテリ２０の取り付け不良あるいは導通不良等のトラブルを未然に防止することができる。
また、バッテリケース２１に侵入した異物は排出孔２１ａから排出することができるので、その内部の清掃を簡単に行うことができる。また、異物は当該バッテリケース２１の開口部から排出することもできる。
【０００９】
次に、図２には第１関連技術に係る卓上マルノコ盤３０が示されている。この第１関連技術の卓上マルノコ盤３０も、バッテリ３１を電源として電動モータ３２を駆動させる構成となっている。すなわち、上下動操作用の操作ハンドル３３の前部にはバッテリケース部３４が一体に設けられており、このバッテリケース部３４に上記バッテリ３１が取り付けられている。このバッテリ３１の両側部にも押しボタン３１ａ，３１ａが設けられ、この両押しボタン３１ａ，３１ａの先端にはそれぞれ係合爪３１ｂが形成されており、前記実施形態におけるバッテリ２０と同様にして取り付けまたは取り外し可能となっている。
バッテリケース部３４の底部には本発明の実施形態と同様２本の直流電源端子３４ａ，３４ａが配置されている。その他の構成は本発明の実施形態と同様であるので、同位の符号を付して説明を省略する。
このように構成した第１関連技術の卓上マルノコ盤３０によっても前記実施形態と同様、電源コンセントに接続することなく、当該卓上マルノコ盤３０を使用することができるので、その使い勝手が向上する。
また、第１関連技術の場合、操作ハンドル３３がモータケースに設けられていることにより、バッテリ３１を電動モータ３２に比較的近い位置に設定することができるので、両者間の配線を短くすることができ、これにより配線の取り回しを簡略化することができる。また、電動モータ３２をオンオフ操作するためのスイッチ１７が操作ハンドル３３に設定されていることにより、このスイッチ１７とバッテリ３１との間の距離を短くすることができ、この点でも配線の取り回しを容易にすることができる。
【００１０】
次に、第２関連技術を説明する。図３及び図４に示すようにこの第２関連技術の卓上マルノコ盤４５は、テーブル３を回転支持するベース４１にバッテリ４０を取り付けたことを特徴としている。第２関連技術の場合、バッテリ４０は、ベース４１の両側部に設けた２カ所の補助テーブル４１ａ，４１ａのうち一方（図４において下側、電動モータとは反対側）の補助テーブル４１ａの前面に取り付けられている。
すなわち、図４において下側の補助テーブル４１ａの前面にはバッテリ取り付け用のバッテリケース部４１ｂが形成され、このバッテリケース部４１ｂに差し込むようにしてバッテリ４０が取り付けられている。一方、バッテリ４０はこのバッテリケース部４１ｂから抜き出して充電することができる。なお、バッテリ４０の両側部には、取り付け・取り外し用の押しボタン４０ａ，４０ａが設けられている点は、前記実施形態及び第１関連技術と同様である。
バッテリケース部４１ｂの底部には、同様に直流電源端子４１ｃ，４１ｃが配置されている。両直流電源端子４１ｃ，４１ｃは、電動モータ１２及びスイッチ１７を含むモータ駆動回路に接続されている。
なお、この第２関連技術において、マルノコ本体４６は従来構成に比して特に変更を要しない。すなわち、マルノコ本体４６は、テーブル３の後部に設けた左右傾動ベース５及び左右傾動アーム６により左右に傾動可能に支持され、また左右傾動アーム６の上下傾動支軸７を介して上下に傾動可能に支持されている。また、ブレードケース１１と左右傾動アーム６との間に介そうしたリンク機構１５により、当該マルノコ本体４６の上下動に伴ってブレードカバー１４が開閉し、これにより鋸刃１３の下半分が露出され、またブレードカバー１４内に収納される。
さらに、ブレードケース１１の片側には電動モータ（図３では見えていない）及び操作ハンドル４７が取り付けられている。操作ハンドル４７にはスイッチ４７ａと、このスイッチ４７ａのオン状態を保持するためのロックボタン４７ｂが設けられている。スイッチ４７ａをオン操作すると、電動モータが起動し、これにより鋸刃１３が回転する。
【００１１】
このように、このように構成した第２関連技術の卓上マルノコ盤４５によっても、電動モータはバッテリ４０を電源として駆動し、従って従来の卓上マルノコ盤のように電源コードを電気コンセントに接続する必要はなく、これにより当該卓上マルノコ盤４５の使い勝手を向上させることができる。
特に、この第２関連技術の場合、１個のバッテリ４０が電動モータ１２とは反対側の補助テーブル４１ａに取り付けられているので、このバッテリ４０を電動モータ１２との重量バランスをとるためのバランスウエイトとして機能させることができる。
すなわち、駆動源としての電動モータ１２は鋸刃１３の片側に突き出すように配置されているため、当該卓上マルノコ盤４５の全体としての重心は電動モータ１２が突き出す側（図４において上側）に偏心している。従って、バッテリ４０をベース４１の端部であって、電動モータ１２とは反対側の端部に取り付ける構成とすることにより、当該卓上マルノコ盤４５の左右方向（鋸刃の回転軸線方向、図４において上下方向）の重量バランスを取ることができる。
また、非使用状態において、マルノコ本体４６はテーブル３に対して若干後ろ側に位置しており、従って当該卓上マルノコ盤４５の全体としての重心が後ろ側に偏心している。そこで、バッテリを２個取り付ける構成とする場合には、ベース４１の前面端部（操作者の手前側端部）に取り付けることにより、当該卓上マルノコ盤４５の前後方向（鋸刃の面方向）の重量バランスを取ることができる。
このように、バッテリ４０がベース４１の前部すなわちマルノコ本体４６の支持側とは反対側に取り付けられていることにより、当該バッテリ４０の重量がマルノコ本体４６に対するバランスウエイトとしても機能し、これにより卓上マルノコ盤４５の設置状態の安定性を高めることができる。
なお、バッテリ４０は片側のみならず、図４において二点鎖線で示すように、両補助テーブル４１ａ，４１ａの前面にそれぞれ取り付ける構成とすることにより、マルノコ本体４６に対するバランスウエイトとしての機能を一層高めることができる。
さらに、図４において二点鎖線で示すように、両補助テーブル４１ａ，４１ａの後面にそれぞれバッテリ４０，４０を取り付ける構成としてもよい。
【００１２】
次に、第３関連技術に係る卓上マルノコ盤５０が図５〜図７に示されている。この第３関連技術は、ブレードケース５１の後部であって上下傾動支軸７の近傍にバッテリ５２を取り付けた構成となっている。第３関連技術において、バッテリ５２はブレードケース５１に設けた円筒形状のバッテリケース部５３に差し込むようにして取り付けられ、この点は前記各関連技術と同様である。また、バッテリ５２には前記各関連技術と同様、取り付け・取り外し用の押しボタン５２ａ，５２ａを有する充電式のものが用いられている。バッテリケース部５３の底部には、バッテリ５２をモータ電源回路に接続するための直流電源端子５３ａ，５３ａが配置されている。
第３関連技術の場合、バッテリ５２の取り付け姿勢は、図５に示すようにマルノコ本体５５を上動端に位置させた時にほぼ水平方向に突き出す状態となるように設定されている。これにより、マルノコ本体５５を上動端に位置させた状態では、当該バッテリ５２の重心Ｇが、上下傾動支軸７を通る鉛直線Ｖに対して反マルノコ本体５５側（図示左側）に位置する一方、図６に示すようにマルノコ本体５５を下動端に位置させた状態では、バッテリ５２の重心Ｇがほぼ鉛直線Ｖ上に位置するように設定されている。
マルノコ本体５５のその他の構成については第２関連技術と同様であるので、図中同位の符号を付して説明を省略する。また、テーブル３側の構成は第１関連技術と同様であるので、同じく同位の符号を付して説明を省略する。
【００１３】
この様に構成した第３関連技術の卓上マルノコ盤５０によれば、鋸刃１３を回転させるための電動モータ１２がバッテリ５２を電源として起動するので、従来のように電源コードを電源コンセントに接続することなく使用することができ、これにより当該卓上マルノコ盤５０の使い勝手を向上させることができる。
しかも、この第３関連技術の卓上マルノコ盤５０によれば、バッテリ５２がマルノコ本体５５の上下傾動支軸７の近傍に配置されていることから、切断作業時における当該マルノコ本体５５の取り扱いが容易になる。すなわち、前記したようにマルノコ本体５５は圧縮ばねにより一定の付勢力で上方へ付勢されている。一方、マルノコ本体５５を上動端に位置させると、バッテリ５２の重心Ｇが、上下傾動支軸７を通る鉛直線Ｖに対してマルノコ本体５５とは反対側に位置するので、この状態ではバッテリ５２がマルノコ本体５５を上動端に保持するためのカウンタウエイトとして機能する。また、マルノコ本体５５を上動端に向けて上動させる過程において、バッテリ５２の重心Ｇが上記鉛直線Ｖを越えた段階で、当該バッテリ５２がマルノコ本体５５を上動させるためのカウンタウエイトとして機能し始める。
以上のことから、バッテリ５２がカウンタウエイトして機能する分だけ圧縮ばねを弱くすることができる。すなわち、よりばね定数の小さい圧縮ばねであっても、バッテリ５２がカウンタウエイトとして機能して圧縮ばねの機能を補うため、使用者の押し下げ操作を解除すればマルノコ本体５５は何ら支障なく上動端位置に移動し、また上動端位置に保持される。
このように圧縮ばねの付勢力を弱くすることができるので、使用者はより小さな力でマルノコ本体５５を押し下げ操作することができ、これにより切断作業時における当該マルノコ本体５５の取り扱いが容易になる。
なお、マルノコ本体５５を押し下げ操作する段階で、バッテリ５２の重心Ｇはほぼ鉛直線Ｖ上に留まり、大きくマルノコ本体５５側に大きく移動することがないので（図６参照）、当該バッテリ５２の重量はマルノコ本体５５を下動させる方向には殆ど作用せず、従ってマルノコ本体５５を上動させる際の抵抗となることはない。
また、傾動支点の近傍にバッテリ５２を配置することにより、マルノコ本体５５の上下動操作時における当該バッテリ５２の重量が及ぼす操作力の増大を最低限に留めることができるので、上記ばね定数を小さくすることによる上下動操作力の軽減効果は維持される。
【００１４】
次に、図８及び図９には本発明の第４関連技術が示されている。この第４関連技術の卓上マルノコ盤６０は、バッテリ６１がマルノコ本体６２の電動モータとは反対側の側部に取り付けられている点が前記第３関連技術とは異なっており、その他の点は特に変更を要しない。変更を要しない点については図中同位の符号を用い、その説明を省略する。
ブレードケース６３の、電動モータ１２とは反対側の側面であって、上下傾動支軸７寄りにバッテリケース部６４が設けられており、このバッテリケース６４にバッテリ６１が差し込むようにして取り付けられている。バッテリケース６４の底部には、前記第３関連技術と同様直流電源端子６４ａ，６４ａが配置されている。両直流電源端子６４ａ，６４ａは、電動モータ１２を回転させるためのモータ駆動回路に接続されている。
このようにバッテリ６１を、電動モータ１２とは反対側に取り付けることにより、当該バッテリ６１を電動モータ１２に対するバランスウエイトとして機能させることができ、これによりマルノコ本体６２の重量バランスを取ることができる。
また、この第４関連技術の卓上マルノコ盤６０によっても、鋸刃１３を回転させるための電動モータ１２がバッテリ６１を電源として回転するので、従来のように電源コードを電源コンセントに接続する必要はなく、従って当該卓上マルノコ盤６０を使用できる範囲が拡大し、その使い勝手を大幅に向上させることができる。
【００１５】
次に、図１０には本発明の第５関連技術が示されている。前記例示した第３、第４関連技術に係る卓上マルノコ盤５０，６０は、電動モータ１２の出力軸に鋸刃１３を直結したタイプであったが、この第５関連技術では、電動モータ７３の回転がベルト７１を介して鋸刃７２に伝達される構成としたベルト駆動式の卓上マルノコ盤７０を例示する。また、この卓上マルノコ盤７０はテーブル７４の後部に設けたスライド支持部７５によりマルノコ本体部８０がテーブル７４の面方向に沿って前後（図示左右方向）にスライド可能な構成となっている。なお、テーブル７４はベース７６に回転可能に支持されている。
このような卓上マルノコ盤７０において、マルノコ本体８０の操作ハンドル８１にバッテリ８２が取り付けられており、このバッテリ８２により電動モータ７３が回転し、この回転がベルト７１を経て鋸刃７２に伝達される。
このような構成の卓上マルノコ盤７０によっても、前記各関連技術と同様の作用効果を得ることができる。
また、このベルト駆動式とすることにより、例えば図１１に示すように鋸刃７２に対して電動モータ７３とバッテリ８２と操作ハンドル８１をほぼ同一平面上に配置することができ、これによりマルノコ本体８０の左右の重量バランスを取ることができる。さらに、特に電動モータ７３が鋸刃７２に対してほぼ同一平面上に（左右ほぼ均等に）配置されることにより、いわゆる傾斜切りをする場合に、マルノコ本体８０の傾斜可能な角度を左右同程度に揃えることができ、この点で当該卓上マルノコ盤の使い勝手が良くなる。
さらに、図示するようにバッテリ８２が電動モータ７３と操作ハンドル８１との間に配置されることによりそれぞれの間の配線の取り回しが容易になる。
【００１６】
以上説明した第１〜第４関連技術にはさらに変更を加えて実施することができる。例えば、第３、第４関連技術における各バッテリケース５３，６４に、本発明の実施形態と同様異物排出用の排出孔を設けてもよく、また異物の侵入を防止するための蓋を取り付ける構成としてもよい。
また、卓上マルノコ盤として２形態を例示したが、要は切断材を載置するテーブルを備えた卓上マルノコ盤の適当な部位にバッテリを取り付け、このバッテリを電源として電動モータを回転させる構成とすることにより本願発明の目的を達成することができる。バッテリを取り付ける部位は、例示した部位に限定されるものではなく、ベースあるいはテーブルの下面等であってもよい。
さらに、バッテリはバッテリケースから取り外して充電するタイプのものに限らず、卓上マルノコ盤に取り付けた状態のままで充電するタイプであってもよく、また使用後は交換する使い切りタイプのバッテリであってもよい。
【図面の簡単な説明】
【図１】本発明の実施形態を示す図であり、卓上マルノコ盤の側面図である。マルノコ本体は上動端に位置している。
【図２】本発明の第１関連技術を示す図であり、卓上マルノコ盤の側面図である。マルノコ本体は下動端に位置している。
【図３】本発明の第２関連技術を示す図であり、卓上マルノコ盤の側面図である。マルノコ本体は上動端に位置している。
【図４】本発明の第２関連技術を示す図であり、卓上マルノコ盤の平面図である。本図ではマルノコ本体が省略されている。
【図５】本発明の第３関連技術を示す図であり、卓上マルノコ盤の側面図である。マルノコ本体は上動端に位置している。
【図６】本発明の第３関連技術を示す図であり、卓上マルノコ盤の側面図である。マルノコ本体は下動端に位置している。
【図７】本発明の第３関連技術を示す図であり、卓上マルノコ盤の平面図である。
【図８】本発明の第４関連技術を示す図であり、卓上マルノコ盤の側面図である。マルノコ本体は下動端に位置している。
【図９】本発明の第４関連技術を示す図であり、卓上マルノコ盤の平面図である。
【図１０】本発明の第５関連技術を示す図であり、ベルト駆動式の卓上マルノコ盤の側面図である。
【図１１】ベルト駆動式の卓上マルノコ盤におけるマルノコ本体の平面概略図である。
【符号の説明】
１…卓上マルノコ盤（本発明の実施形態）
２…ベース、２ａ…補助テーブル
３…テーブル、７…上下傾動支軸
１０…マルノコ本体
１１…ブレードケース、１２…電動モータ
１３…鋸刃、１６…操作ハンドル
２０…バッテリ
２１…バッテリケース、２１ａ…排出孔
２２…蓋
３０…卓上マルノコ盤（第１関連技術）
４５…卓上マルノコ盤（第２関連技術）
５０…卓上マルノコ盤（第３関連技術）
Ｇ…バッテリの重心、Ｖ…上下傾動支軸を通る鉛直線
６０…卓上マルノコ盤（第４関連技術）
７０…卓上マルノコ盤（第５関連技術）
７１…ベルト、７５…スライド支持部
【図１】
0003558880.tif 000002
【図２】
0003558880.tif 000003
【図３】
0003558880.tif 000004
【図４】
0003558880.tif 000005
【図５】
0003558880.tif 000006
【図６】
0003558880.tif 000007
【図７】
0003558880.tif 000008
【図８】
0003558880.tif 000009
【図９】
0003558880.tif 000010
【図１０】
0003558880.tif 000011
【図１１】
0003558880.tif 000012